(57)【要約】【課題】音を発生させる電気機器を使用中に他の電気機器が動作している場合でも、聞き取りたい音を聞き取り易くすることができる機器制御システム、および、機器制御システムに含まれる電気機器を提供すること。【解決手段】音を発生させる電気機器を少なくとも１つ以上含んだ複数の電気機器を連動させる機器制御システムであって、各電気機器を制御する制御部を備え、制御部は、複数の電気機器が動作中で、かつ、その中に音を発生させる電気機器が含まれていたら、変更の対象となる電気機器に変更指示信号を送信し、電気機器の動作状態を変更するものである。【選択図】図１
2017163271.tif 000002
【特許請求の範囲】
【請求項１】
音を発生させる電気機器を少なくとも１つ以上含んだ複数の電気機器を連動させる機器制御システムであって、
各前記電気機器を制御する制御部を備え、
前記制御部は、
複数の前記電気機器が動作中で、かつ、その中に音を発生させる前記電気機器が含まれていたら、
変更の対象となる前記電気機器に変更指示信号を送信し、該電気機器の動作状態を変更するものである
ことを特徴とする機器制御システム。
【請求項２】
各前記電気機器の優先順位が事前に設定されるものであり、
前記制御部は、
動作中の前記電気機器の中で一番優先順位が高い前記電気機器に対応した変更指示内容を参照し、該変更指示内容に基づいて変更の対象となる前記電気機器に変更指示信号を送信し、変更の対象となる前記電気機器の動作状態を変更するものである
ことを特徴とする請求項１に記載の機器制御システム。
【請求項３】
変更の対象となる前記電気機器は、音を発生させる前記電気機器である
ことを特徴とする請求項１または２に記載の機器制御システム。
【請求項４】
複数の前記電気機器の中にノイズ音を発生させる前記電気機器を含む場合において、
変更の対象となる前記電気機器は、ノイズ音を発生させる前記電気機器である
ことを特徴とする請求項１または２に記載の機器制御システム。
【請求項５】
変更の対象となる前記電気機器の音量を上げる
ことを特徴とする請求項３に記載の機器制御システム。
【請求項６】
変更の対象となる前記電気機器の音の周波数を変更する
ことを特徴とする請求項３に記載の機器制御システム。
【請求項７】
変更の対象となる前記電気機器の音量または動作レベルを下げる
ことを特徴とする請求項３または４に記載の機器制御システム。
【請求項８】
変更の対象となる前記電気機器の電源を切る
ことを特徴とする請求項３または４に記載の機器制御システム。
【請求項９】
前記制御部は、
動作中の前記電気機器の音量または動作レベルによって、
変更の対象となる前記電気機器、および、変更の対象となる前記電気機器に送信する変更指示信号の内容を変更するものである
ことを特徴とする請求項１〜４のいずれか一項に記載の機器制御システム。
【請求項１０】
前記制御部は、
動作中の前記電気機器の温度によって、
変更の対象となる前記電気機器、および、変更の対象となる前記電気機器に送信する変更指示信号の内容を変更するものである
ことを特徴とする請求項１〜４のいずれか一項に記載の機器制御システム。
【請求項１１】
請求項１〜１０のいずれか一項に記載の機器制御システムと連動する
ことを特徴とする電気機器。
【発明の詳細な説明】
【技術分野】
【０００１】
本発明は、音を発生させる電気機器を少なくとも１つ以上含んだ複数の電気機器を連動させる機器制御システム、および、機器制御システムと連動する電気機器に関するものである。
【背景技術】
【０００２】
従来、住宅内で複数のユーザーに共有される電気機器を使用する際の面倒な操作を不要としつつ、電気機器を、ユーザーにとって適正な状態で自動運転する技術が提案されている（例えば、特許文献１参照）。
【０００３】
特許文献１では、住宅内で複数のユーザーに共用される電気機器に通信機能が付与され、携帯型通信装置との無線通信信号に基づいて、ユーザーによる入力操作に無関係に前記電気機器が自動的に運転される。また特に、ユーザーごとに用意される各携帯型通信装置に、それを所持するユーザーを個別に識別する識別信号とユーザーごとに登録されるユーザー特有信号とを記憶しておき、電気機器は、所定の使用エリア内に携帯型通信装置が進入して当該携帯型通信装置と無線通信が行われる際に、識別信号とユーザー特有信号とを受信し、それらの受信信号に基づいて自動運転を実施する。
【０００４】
上記構成によれば、ユーザー個別の識別信号に加えて、ユーザーごとに登録されるユーザー特有信号に基づいて電気機器の自動運転が行われるため、電気機器を使用する際の面倒な操作を不要としつつ、電気機器を、ユーザーにとって適正な状態で自動運転させることが可能となる。
【先行技術文献】
【特許文献】
【０００５】
【特許文献１】特許第４８５２４４９号公報
【発明の概要】
【発明が解決しようとする課題】
【０００６】
特許文献１は、音を発生させる電気機器を使用中に他の電気機器が動作している場合の影響を考慮できておらず、聞き取りたい音が聞き取りづらくなってしまうという課題があった。
【０００７】
本発明は、以上のような課題を解決するためになされたもので、音を発生させる電気機器を使用中に他の電気機器が動作している場合でも、聞き取りたい音を聞き取り易くすることができる機器制御システム、および、機器制御システムと連動する電気機器を提供することを目的としている。
【課題を解決するための手段】
【０００８】
本発明に係る機器制御システムは、音を発生させる電気機器を少なくとも１つ以上含んだ複数の電気機器を連動させる機器制御システムであって、各前記電気機器を制御する制御部を備え、前記制御部は、複数の前記電気機器が動作中で、かつ、その中に音を発生させる前記電気機器が含まれていたら、変更の対象となる前記電気機器に変更指示信号を送信し、該電気機器の動作状態を変更するものである。
【発明の効果】
【０００９】
本発明に係る機器制御システムによれば、複数の電気機器が動作中で、かつ、その中に音を発生させる電気機器が含まれていたら、対象となる電気機器に変更指示信号を送信し、該電気機器の動作状態を変更する。そのため、音を発生させる電気機器を使用中に他の電気機器が動作している場合でも、聞き取りたい音を聞き取り易くすることができる。
【図面の簡単な説明】
【００１０】
【図１】本発明の実施の形態１に係る機器制御システムおよびそれと連動している電気機器を示す図である。
【図２】本発明の実施の形態１に係る機器制御システムのブロック図である。
【図３】本発明の実施の形態１に係る機器制御システムの制御の一例を示すフローチャートである。
【図４】本発明の実施の形態１に係る電気機器の制御の一例を示すフローチャートである。
【図５】本発明の実施の形態１に係る機器制御システムと電気機器との信号のやり取りを説明する第一例の図である。
【図６】本発明の実施の形態１に係る機器制御システムと電気機器との信号のやり取りを説明する第二例の図である。
【図７】本発明の実施の形態１に係る機器制御システムと電気機器との信号のやり取りを説明する第三例の図である。
【図８】本発明の実施の形態１に係る機器制御システムと電気機器との信号のやり取りを説明する第四例の図である。
【図９】本発明の実施の形態２に係る機器制御システムの制御の一例を示すフローチャートである。
【図１０】本発明の実施の形態３に係る機器制御システムの制御の一例を示すフローチャートである。
【図１１】本発明の実施の形態４に係る機器制御システムの制御の一例を示すフローチャートである。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態１．
図１は、本発明の形態１に係る機器制御システム１００およびそれと連動している電気機器２００を示す図であり、図２は、本発明の実施の形態１に係る機器制御システム１００のブロック図である。
以下、本発明の実施の形態１に係る機器制御システム１００を説明する。
図１に示すように、本実施の形態１に係る機器制御システム１００は、ＨＥＭＳ（Home Energy Management System）コントローラ１０と、操作部２０と、を備えており、複数の電気機器２００を連動させるものである。操作部２０は、各電気機器２００の制御条件を設定し、その制御条件信号をＨＥＭＳコントローラ１０に送信するものである。
【００１３】
ＨＥＭＳコントローラ１０は、各電気機器２００から受信した動作状態信号と操作部２０から受信した制御条件とに基づいて、変更指示信号を変更の対象となる電気機器２００に送信するものである。電気機器２００は、機器制御システム１００と連動し、ＨＥＭＳコントローラ１０から受信した変更指示信号に応じて、または遠隔操作装置であるリモコン２４０から受信した変更指示信号に応じて、動作するものである。
【００１４】
なお、制御条件信号とは、各電気機器２００の優先順位、および、各電気機器２００に対応した動作状態の変更指示内容に関する情報が含まれた信号であり、動作状態信号とは、電気機器２００が起動しているかを含め現在の動作状態に関する情報が含まれた信号であり、変更指示信号とは、電気機器２００の動作状態の変更内容に関する情報が含まれた信号である。
【００１５】
ＨＥＭＳコントローラ１０は、電気機器２００の外部に設けられた外部コントローラである。図２に示すように、ＨＥＭＳコントローラ１０は、各電気機器２００を制御する制御部１１と、制御部１１が参照する記憶部１２と、各電気機器２００との通信を可能にする通信部１３と、を備えている。記憶部１２は、例えばＲＡＭ（Random Access Memory）、ＲＯＭ（Read only Memory）などであり、制御部１１は、例えばＣＰＵ（Central Processing Unit）などである。そして、操作部２０が送信した各電気機器２００の制御条件信号を受信したら、制御部１１はその制御条件を記憶部１２に記憶する。
【００１６】
また、通信部１３は、例えば無線通信インタフェースなどであり、受信部１４と送信部１５とで構成されている。受信部１４は、操作部２０および各電気機器２００から動作状態信号を受信するものである。また、送信部１５は、各電気機器２００に変更指示信号を送信するものである。そして、受信部１４が各電気機器２００から動作状態信号を受信したら、制御部１１は、各電気機器２００から受信した動作状態信号と記憶部１２に記憶された制御条件信号とに基づいて、送信部１５から変更指示信号を各電気機器２００に送信する。
【００１７】
電気機器２００は、住宅内で複数のユーザーに共用されるものであり、ＨＥＭＳコントローラ１０から送信された変更指示信号、または、リモコン２４０から送信された変更指示信号に応じて動作する。
【００１８】
リモコン２４０は、例えば、各電気機器２００に対応した専用のリモートコントローラ（遠隔操作装置）である。リモコン２４０は、変更指示信号の送信エリアが予め定められている。このため、リモコン２４０の操作者は、電気機器２００を視認できる位置、例えば、電気機器２００の近辺で、リモコン２４０の操作を行う。
【００１９】
電気機器２００は、電気機器２００を制御する制御部２０１と、制御部２０１が参照する信号を記憶する記憶部２０２と、ＨＥＭＳコントローラ１０との通信を可能にする通信部２０３と、を備える。
記憶部２０２は、例えばＲＡＭ（Random Access Memory）、ＲＯＭ（Read only Memory）などであり、制御部２０１は、例えばＣＰＵ（Central Processing Unit）などである。また、通信部２０３は、例えば無線通信インタフェースなどであり、受信部２０４と送信部２０５とで構成されている。受信部２０４は、リモコン２４０およびＨＥＭＳコントローラ１０から変更指示信号を受信するものである。また、送信部２０５は、ＨＥＭＳコントローラ１０に動作状態信号を送信するものである。
【００２０】
そして、受信部２０４がＨＥＭＳコントローラ１０またはリモコン２４０が送信した変更指示信号を受信したら、制御部２０１はその変更指示信号を記憶部２０２に記憶し、その変更指示信号に基づいて電気機器２００を制御する。
【００２１】
電気機器２００は、音（音声を含む）を発生させる電気機器（以下、音発生機器と称する）と、音発生機器の音を聞き取りづらくするノイズ音を発生させる電気機器（以下、ノイズ音発生機器と称する）とに分類される。
音発生機器としては、テレビ、オーディオ、電話、インターホン、調理器、などであり、電子レンジおよび炊飯器など、ブザー音のみを発生させる機器も含まれる。また、ノイズ音発生機器としては、換気ファン、レンジフード、クリーナー、エアコン、調理器（の冷却ファン）などである。
【００２２】
操作部２０は、例えば、携帯用の電子機器、パーソナルコンピュータなどである。なお、操作部２０は、ＨＥＭＳコントローラ１０と、例えばWi-Fi(登録商標)通信が可能である。なお、操作部２０を、インターネットとブロードバンドルータとを介して、ＨＥＭＳコントローラ１０と通信可能な構成にしてもよい。そうすることで、操作部２０は、リモコン２４０の送信エリア内に加え、リモコン２４０の送信エリア外からも、ＨＥＭＳコントローラ１０に制御条件信号を送信可能となる。
【００２３】
なお、ＨＥＭＳコントローラ１０にユーザインタフェースを設け、ＨＥＭＳコントローラ１０が操作部２０を備える構成としてもよい。
【００２４】
図３は、本発明の実施の形態１に係る機器制御システム１００の制御の一例を示すフローチャートであり、図４は、本発明の実施の形態１に係る電気機器２００の制御の一例を示すフローチャートである。
本実施の形態１に係る機器制御システム１００は、複数の電気機器２００が同時に動作しており、かつ、その中に音発生機器が含まれている場合に、聞き取りたい音が聞き取り易くなるように、変更の対象となる電気機器２００を制御するものである。
【００２５】
以下、本実施の形態１に係る機器制御システム１００の制御の一例について、図３および図４を用いて説明する。
まず、操作部２０により、各電気機器２００の優先順位、および、各電気機器２００に対応した変更指示内容などの、制御条件を事前に設定する。制御条件が設定されたら、操作部２０は制御条件信号をＨＥＭＳコントローラ１０に送信する。
ＨＥＭＳコントローラ１０は、操作部２０から制御条件信号を受信したら、その制御条件を記憶部１２に保存する。
【００２６】
ＨＥＭＳコントローラ１０は、電気機器２００から動作状態信号を受信し（Ｓ１０１）、受信した電気機器２００の動作状態を記憶部１２に保存する。なお、動作状態信号は、例えば電気機器２００の動作状態が変更する毎に受信する。
ＨＥＭＳコントローラ１０は、各電気機器２００の動作状態を参照して、複数の電気機器２００が動作中であるかどうかを判定する（Ｓ１０２）。
【００２７】
ＨＥＭＳコントローラ１０は、複数の電気機器２００が動作中だったら（Ｓ１０２のＹｅｓ）、動作中の複数の電気機器２００の中に音発生機器が含まれているかどうかを判定する（Ｓ１０３）。
ＨＥＭＳコントローラ１０は、動作中の複数の電気機器２００の中に音発生機器が含まれていると判定したら（Ｓ１０３のＹｅｓ）、動作中の各電気機器２００の優先順位を参照する（Ｓ１０４）。
【００２８】
ＨＥＭＳコントローラ１０は、動作中の各電気機器２００の中で一番優先順位が高い電気機器２００に対応した変更指示内容を参照する（Ｓ１０５）。
ＨＥＭＳコントローラ１０は、参照した変更指示内容に基づいた変更指示信号を、変更の対象となる電気機器２００に送信する（Ｓ１０６）。
【００２９】
一方、電気機器２００は、動作を開始したら（Ｓ２０１のＹｅｓ）、動作中であるという動作状態信号をＨＥＭＳコントローラ１０に送信する（Ｓ２０２）。
電気機器２００は、ＨＥＭＳコントローラ１０から変更指示信号を受信したら（Ｓ２０３のＹｅｓ）、変更指示の内容に基づいて、動作状態を変更する（Ｓ２０４）。
【００３０】
次に、本実施の形態１に係る機器制御システム１００の制御の具体例である第一例について説明する。
第一例では、音発生機器であるオーディオ２１１、ノイズ音発生機器であるレンジフード２２１およびクリーナー２２２、音発生機器かつノイズ音発生機器であるＩＨ調理器２３１が、それぞれ機器制御システム１００と連動しており、その中でオーディオ２１１およびクリーナー２２２が動作しているものとする。
【００３１】
また、優先順位は、高い方からＩＨ調理器２３１、オーディオ２１１、レンジフード２２１、クリーナー２２２の順に設定され、オーディオ２１１に対応した変更指示内容には、「自分の音量を上げる」が設定されているものとする。
【００３２】
図５は、本発明の実施の形態１に係る機器制御システム１００と電気機器２００との信号のやり取りを説明する第一例の図である。
図５に示すように、第一例では、機器制御システム１００と連動している４つの電気機器２００のうち、オーディオ２１１およびクリーナー２２２が動作中であるため、ＨＥＭＳコントローラ１０は、オーディオ２１１およびクリーナー２２２から動作中であるという情報を含んだ動作状態信号を受信し（Ｓ１０１）、オーディオ２１１およびクリーナー２２２が動作中であることが記憶部１２に保存される。
【００３３】
ＨＥＭＳコントローラ１０は、各電気機器２００の動作状態を参照して、複数の電気機器２００が動作中であるかどうかを判定する（Ｓ１０２）。
ＨＥＭＳコントローラ１０は、オーディオ２１１およびクリーナー２２２が動作中であると判定し（Ｓ１０２のＹｅｓ）、オーディオ２１１およびクリーナー２２２の中に音発生機器が含まれているかどうかを判定する（Ｓ１０３）。
【００３４】
オーディオ２１１は音発生機器であるため、ＨＥＭＳコントローラ１０は、オーディオ２１１およびクリーナー２２２の中に音発生機器が含まれていると判定し（Ｓ１０３のＹｅｓ）、オーディオ２１１およびクリーナー２２２の優先順位を参照する（Ｓ１０４）。
ＨＥＭＳコントローラ１０は、オーディオ２１１およびクリーナー２２２の中で一番優先順位が高いオーディオ２１１に対応した変更指示内容を参照する（Ｓ１０５）。
【００３５】
オーディオ２１１に対応した変更指示内容は、「自分の音量を上げる」であるため、それに基づいて、図５に示すようにＨＥＭＳコントローラ１０は、変更の対象となるオーディオ２１１に、「音量を上げる」という内容の変更指示信号を送信する（Ｓ１０６）。
【００３６】
オーディオ２１１は、ＨＥＭＳコントローラ１０から変更指示信号を受信したら（Ｓ２０３のＹｅｓ）、変更指示の内容に基づいて、音量を上げる（Ｓ２０４）。
【００３７】
次に、本実施の形態１に係る機器制御システム１００の制御の具体例である第二例について説明する。
第二例では、音発生機器であるオーディオ２１１、ノイズ音発生機器であるレンジフード２２１およびクリーナー２２２、音発生機器かつノイズ音発生機器であるＩＨ調理器２３１が、それぞれ機器制御システム１００と連動しており、その中でオーディオ２１１およびクリーナー２２２が動作しているものとする。
【００３８】
また、優先順位は、高い方からＩＨ調理器２３１、オーディオ２１１、レンジフード２２１、クリーナー２２２の順に設定され、オーディオ２１１に対応した変更指示内容には、「他の電気機器の音量または動作レベルを下げる」が設定されているものとする。なお、ここでいう動作レベルとは、ノイズ音の発生源となるモーターの回転数などを意味する。
【００３９】
図６は、本発明の実施の形態１に係る機器制御システム１００と電気機器２００との信号のやり取りを説明する第二例の図である。
図６に示すように、第二例では、機器制御システム１００と連動している４つの電気機器２００のうち、オーディオ２１１およびクリーナー２２２が動作中であるため、ＨＥＭＳコントローラ１０は、オーディオ２１１およびクリーナー２２２から動作中であるという情報を含んだ動作状態信号を受信し（Ｓ１０１）、オーディオ２１１およびクリーナー２２２が動作中であることが記憶部１２に保存される。
【００４０】
ＨＥＭＳコントローラ１０は、各電気機器２００の動作状態を参照して、複数の電気機器２００が動作しているかどうかを判定する（Ｓ１０２）。
ＨＥＭＳコントローラ１０は、オーディオ２１１およびクリーナー２２２が動作中であると判定し（Ｓ１０２のＹｅｓ）、オーディオ２１１およびクリーナー２２２の中に音発生機器が含まれているかどうかを判定する（Ｓ１０３）。
【００４１】
オーディオ２１１は音発生機器であるため、ＨＥＭＳコントローラ１０は、オーディオ２１１およびクリーナー２２２の中に音発生機器が含まれていると判定し（Ｓ１０３のＹｅｓ）、オーディオ２１１およびクリーナー２２２の優先順位を参照する（Ｓ１０４）。
ＨＥＭＳコントローラ１０は、オーディオ２１１およびクリーナー２２２の中で一番優先順位が高いオーディオ２１１に対応した変更指示内容を参照する（Ｓ１０５）。
【００４２】
オーディオ２１１に対応した変更指示内容は、「他の電気機器の音量または動作レベルを小さく」であるため、それに基づいて、図６に示すようにＨＥＭＳコントローラ１０は、変更の対象となるクリーナー２２２に、「音量または動作レベルを下げる」という内容の変更指示信号を送信する（Ｓ１０６）。
【００４３】
クリーナー２２２は、ＨＥＭＳコントローラ１０から変更指示信号を受信したら（Ｓ２０３のＹｅｓ）、変更指示信号の内容に基づいて、動作レベルを下げる（Ｓ２０４）。
【００４４】
次に、本実施の形態１に係る機器制御システム１００の制御の具体例である第三例について説明する。
第三例では、音発生機器であるオーディオ２１１、ノイズ音発生機器であるレンジフード２２１およびクリーナー２２２、音発生機器かつノイズ音発生機器であるＩＨ調理器２３１が、それぞれ機器制御システム１００と連動しており、その中でオーディオ２１１およびＩＨ調理器２３１が動作しているものとする。
【００４５】
また、優先順位は、高い方からＩＨ調理器２３１、オーディオ２１１、レンジフード２２１、クリーナー２２２の順に設定され、ＩＨ調理器２３１に対応した変更指示内容には、「他の電気機器の電源を切る」が設定されているものとする。
【００４６】
図７は、本発明の実施の形態１に係る機器制御システム１００と電気機器２００との信号のやり取りを説明する第三例の図である。
図７に示すように、第三例では、機器制御システム１００と連動している４つの電気機器２００のうち、オーディオ２１１およびＩＨ調理器２３１が動作中であるため、ＨＥＭＳコントローラ１０は、オーディオ２１１およびＩＨ調理器２３１から動作中であるという情報を含んだ動作状態信号を受信し（Ｓ１０１）、オーディオ２１１およびＩＨ調理器２３１が動作中であることが記憶部１２に保存される。
【００４７】
ＨＥＭＳコントローラ１０は、各電気機器２００の動作状態を参照して、複数の電気機器２００が動作中であるかどうかを判定する（Ｓ１０２）。
ＨＥＭＳコントローラ１０は、オーディオ２１１およびＩＨ調理器２３１が動作中であると判定し（Ｓ１０２のＹｅｓ）、オーディオ２１１およびＩＨ調理器２３１の中に音発生機器が含まれているかどうかを判定する（Ｓ１０３）。
【００４８】
オーディオ２１１およびＩＨ調理器２３１は音発生機器であるため、ＨＥＭＳコントローラ１０は、オーディオ２１１およびＩＨ調理器２３１の中に音発生機器が含まれていると判定し（Ｓ１０３のＹｅｓ）、オーディオ２１１およびＩＨ調理器２３１の優先順位を参照する（Ｓ１０４）。
ＨＥＭＳコントローラ１０は、オーディオ２１１およびＩＨ調理器２３１の中で一番優先順位が高いＩＨ調理器２３１に対応した変更指示内容を参照する（Ｓ１０５）。
【００４９】
ＩＨ調理器２３１に対応した変更指示内容は、「他の電気機器の電源を切る」であるため、それに基づいて、図７に示すように、ＨＥＭＳコントローラ１０は、変更の対象となるオーディオ２１１に、「電源を切る」という内容の変更指示信号を送信する（Ｓ１０６）。
【００５０】
オーディオ２１１は、ＨＥＭＳコントローラ１０から変更指示信号を受信したら（Ｓ２０３のＹｅｓ）、変更指示信号の内容に基づいて、電源を切る（Ｓ２０４）。
【００５１】
次に、本実施の形態１に係る機器制御システム１００の制御の具体例である第四例について説明する。
第四例では、音発生機器であるオーディオ２１１、ノイズ音発生機器であるレンジフード２２１およびクリーナー２２２、音発生機器かつノイズ音発生機器であるＩＨ調理器２３１が、それぞれ機器制御システム１００と連動しており、それら４つ全てが動作しているものとする。
【００５２】
また、優先順位は、高い方からＩＨ調理器２３１、オーディオ２１１、レンジフード２２１、クリーナー２２２の順に設定され、ＩＨ調理器２３１に対応した変更指示内容には、「他の電気機器の音量または動作レベルを下げる」が設定されているものとする。
【００５３】
図８は、本発明の実施の形態１に係る機器制御システム１００と電気機器２００との信号のやり取りを説明する第四例の図である。
図８に示すように、第四例では、機器制御システム１００と連動している４つの電気機器２００全てが動作中であるため、ＨＥＭＳコントローラ１０は、オーディオ２１１、ＩＨ調理器２３１、レンジフード２２１、および、クリーナー２２２から動作中であるという情報を含んだ動作状態信号を受信し（Ｓ１０１）、オーディオ２１１、ＩＨ調理器２３１、レンジフード２２１、および、クリーナー２２２から動作中であることが記憶部１２に保存される。
【００５４】
ＨＥＭＳコントローラ１０は、各電気機器２００の動作状態を参照して、複数の電気機器２００が動作中であるかどうかを判定する（Ｓ１０２）。
ＨＥＭＳコントローラ１０は、オーディオ２１１、ＩＨ調理器２３１、レンジフード２２１、および、クリーナー２２２が動作中であると判定し（Ｓ１０２のＹｅｓ）、オーディオ２１１、ＩＨ調理器２３１、レンジフード２２１、および、クリーナー２２２の中に音発生機器が含まれているかどうかを判定する（Ｓ１０３）。
【００５５】
オーディオ２１１およびＩＨ調理器２３１は音発生機器であるため、ＨＥＭＳコントローラ１０は、オーディオ２１１、ＩＨ調理器２３１、レンジフード２２１、および、クリーナー２２２の中に音発生機器が含まれていると判定し（Ｓ１０３のＹｅｓ）、オーディオ２１１、ＩＨ調理器２３１、レンジフード２２１、および、クリーナー２２２の優先順位を参照する（Ｓ１０４）。
ＨＥＭＳコントローラ１０は、オーディオ２１１、ＩＨ調理器２３１、レンジフード２２１、および、クリーナー２２２の中で一番優先順位が高いＩＨ調理器２３１に対応した変更指示内容を参照する（Ｓ１０５）。
【００５６】
ＩＨ調理器２３１に対応した変更指示内容は、「他の電気機器の音量または動作レベルを下げる」であるため、それに基づいて、図８に示すようにＨＥＭＳコントローラ１０は、変更の対象となるオーディオ２１１、レンジフード２２１、および、クリーナー２２２に、「音量または動作レベルを下げる」という内容の変更指示信号を送信する（Ｓ１０６）。
【００５７】
オーディオ２１１、レンジフード２２１、および、クリーナー２２２は、ＨＥＭＳコントローラ１０から変更指示信号を受信したら（Ｓ２０３のＹｅｓ）、変更指示信号の内容に基づいて、音量または動作レベルを下げる（Ｓ２０４）。
【００５８】
以上、本実施の形態１に係る機器制御システム１００によれば、複数の電気機器２００が動作中で、かつ、その中に音を発生させる電気機器２００が含まれていたら、変更の対象となる動作中の電気機器２００に指示情報を送信し、該電気機器２００の動作状態を変更する。そのため、音を発生させる電気機器２００を動作中に他の電気機器２００が動作している場合でも、聞き取りたい音を聞き取り易くすることができる。
【００５９】
なお、本実施の形態１では、優先順位を電気機器２００自体に対して設定しているが、それに限定されず、例えば電気機器２００の起動順序に対して設定したり、電気機器２００が使用されている部屋に対して設定したりしてもよい。また、インターホンなど緊急性が高い電気機器２００に対しては、優先順位が自動で高くなるように設定してもよい。
【００６０】
実施の形態２．
以下、本発明の実施の形態２について説明するが、実施の形態１と重複するものについては（一部の）説明を省略し、実施の形態１と同じ部分または相当する部分には同じ符号を付す。なお、図４は本実施の形態２でも用いる。
【００６１】
図９は、本発明の実施の形態２に係る機器制御システム１００の制御の一例を示すフローチャートである。
本実施の形態２に係る機器制御システム１００では、電気機器２００の音量または動作レベルに応じて変更指示内容を変更することができる。
【００６２】
以下、本実施の形態２に係る機器制御システム１００の制御の一例について、図９および図４を用いて説明する。
まず、操作部２０により、各電気機器２００の優先順位、および、各電気機器２００に対応した変更指示内容などの、制御条件を事前に設定する。制御条件が設定されたら、操作部２０は制御条件信号をＨＥＭＳコントローラ１０に送信する。
ＨＥＭＳコントローラ１０は、操作部２０から制御条件信号を受信したら、その制御条件を記憶部１２に保存する。
【００６３】
ＨＥＭＳコントローラ１０は、電気機器２００から動作状態信号を受信し（Ｓ３０１）、受信した電気機器２００の動作状態を記憶部１２に保存する。なお、動作状態信号は、例えば電気機器２００の動作状態が変更する毎に受信する。
ＨＥＭＳコントローラ１０は、各電気機器２００の動作状態を参照して、複数の電気機器２００が動作中であるかどうかを判定する（Ｓ３０２）。
【００６４】
ＨＥＭＳコントローラ１０は、複数の電気機器２００が動作中だったら（Ｓ３０２のＹｅｓ）、動作中の複数の電気機器２００の中に音発生機器が含まれているかどうかを判定する（Ｓ３０３）。
ＨＥＭＳコントローラ１０は、動作中の複数の電気機器２００の中に音発生機器が含まれていると判定したら（Ｓ３０３のＹｅｓ）、動作中の電気機器２００の優先順位を参照する（Ｓ３０４）。
【００６５】
ＨＥＭＳコントローラ１０は、動作中の電気機器２００の中で一番優先順位が高い電気機器２００に対応した変更指示内容を参照する（Ｓ３０５）。
ＨＥＭＳコントローラ１０は、動作中の電気機器２００の音量を確認する（Ｓ３０６）。
ＨＥＭＳコントローラ１０は、動作状態の変更指示がある場合は（Ｓ３０７のＹｅｓ）、参照した変更指示内容および動作中の電気機器２００の音量に基づいた変更指示信号を、変更の対象となる電気機器２００に送信する（Ｓ３０８）。
【００６６】
一方、電気機器２００は、動作を開始したら（Ｓ２０１のＹｅｓ）、動作中であるという動作状態信号をＨＥＭＳコントローラ１０に送信する（Ｓ２０２）。
電気機器２００は、ＨＥＭＳコントローラ１０から変更指示信号を受信したら（Ｓ２０３のＹｅｓ）、変更指示の内容に基づいて、動作状態を変更する（Ｓ２０４）。
【００６７】
次に、本実施の形態２に係る機器制御システム１００の制御の具体例である第一例について説明する。
第一例では、音発生機器であるオーディオ２１１、ノイズ音発生機器であるレンジフード２２１およびクリーナー２２２、音発生機器かつノイズ音発生機器であるＩＨ調理器２３１が、それぞれ機器制御システム１００と連動しており、その中でオーディオ２１１およびクリーナー２２２が動作しているものとする。なお、クリーナー２２２は動作レベルが基準値以上で動作しているものとする。
【００６８】
また、優先順位は、高い方からＩＨ調理器２３１、オーディオ２１１、レンジフード２２１、クリーナー２２２の順に設定され、オーディオ２１１に対応した変更指示内容には、「自分の音量を上げる  ただし、他の電気機器の音量または動作レベルが基準値以上である場合は、動作状態を変更しない」が設定されているものとする。
【００６９】
第一例では、機器制御システム１００と連動している４つの電気機器２００のうち、オーディオ２１１およびクリーナー２２２が動作中であるため、ＨＥＭＳコントローラ１０は、オーディオ２１１およびクリーナー２２２から動作中であるという情報と、それらの音量または動作レベルに関する情報を含んだ動作状態信号を受信し（Ｓ３０１）、オーディオ２１１およびクリーナー２２２が動作中であること、およびそれらの音量が記憶部１２に保存される。
【００７０】
ＨＥＭＳコントローラ１０は、各電気機器２００の動作状態を参照して、複数の電気機器２００が動作中であるかどうかを判定する（Ｓ３０２）。
ＨＥＭＳコントローラ１０は、オーディオ２１１およびクリーナー２２２が動作中であると判定し（Ｓ３０２のＹｅｓ）、オーディオ２１１およびクリーナー２２２の中に音発生機器が含まれているかどうかを判定する（Ｓ３０３）。
【００７１】
オーディオ２１１は音発生機器であるため、ＨＥＭＳコントローラ１０は、オーディオ２１１およびクリーナー２２２の中に音発生機器が含まれていると判定し（Ｓ３０３のＹｅｓ）、オーディオ２１１およびクリーナー２２２の優先順位を参照する（Ｓ３０４）。
ＨＥＭＳコントローラ１０は、オーディオ２１１およびクリーナー２２２の中で一番優先順位が高いオーディオ２１１に対応した変更指示内容を参照する（Ｓ３０５）。
ＨＥＭＳコントローラ１０は、オーディオ２１１およびクリーナー２２２の音量または動作レベルを参照する（Ｓ３０６）。
【００７２】
このとき、オーディオ２１１に対応した変更指示内容は、「自分の音量を上げる  ただし、他の電気機器の音量または動作レベルが基準値以上である場合は、動作状態を変更しない」であり、クリーナー２２２の動作レベルは基準値以上であるため、ＨＥＭＳコントローラ１０は、動作状態の変更指示なしと判定し（Ｓ３０７のＮｏ）、終了となる。
【００７３】
次に、機器制御システム１００の制御の具体例である第二例について説明する。
第二例では、音発生機器であるオーディオ２１１、ノイズ音発生機器であるレンジフード２２１およびクリーナー２２２、音発生機器かつノイズ音発生機器であるＩＨ調理器２３１が、それぞれ機器制御システム１００と連動しており、その中でオーディオ２１１およびクリーナー２２２が動作しているものとする。なお、クリーナー２２２は動作レベルが基準値以上で動作しているものとする。
【００７４】
また、優先順位は、高い方からＩＨ調理器２３１、オーディオ２１１、レンジフード２２１、クリーナー２２２の順に設定され、オーディオ２１１に対応した変更指示内容には、「自分の音量を上げる  ただし、他の電気機器の音量または動作レベルが基準値以上である場合は、他の電気機器の音量または動作レベルを下げる」が設定されているものとする。
【００７５】
第二例では、機器制御システム１００と連動している４つの電気機器２００のうち、オーディオ２１１およびクリーナー２２２が動作中であるため、ＨＥＭＳコントローラ１０は、オーディオ２１１およびクリーナー２２２から動作中であるという情報と、それらの音量または動作レベルに関する情報を含んだ動作状態信号を受信し（Ｓ３０１）、オーディオ２１１およびクリーナー２２２が動作中であること、およびそれらの音量または動作レベルが記憶部１２に保存される。
【００７６】
ＨＥＭＳコントローラ１０は、各電気機器２００の動作状態を参照して、複数の電気機器２００が動作中であるかどうかを判定する（Ｓ３０２）。
ＨＥＭＳコントローラ１０は、オーディオ２１１およびクリーナー２２２が動作中であると判定し（Ｓ３０２のＹｅｓ）、オーディオ２１１およびクリーナー２２２の中に音発生機器が含まれているかどうかを判定する（Ｓ３０３）。
【００７７】
オーディオ２１１は音発生機器であるため、ＨＥＭＳコントローラ１０は、オーディオ２１１およびクリーナー２２２の中に音発生機器が含まれていると判定し（Ｓ３０３のＹｅｓ）、オーディオ２１１およびクリーナー２２２の優先順位を参照する（Ｓ３０４）。
ＨＥＭＳコントローラ１０は、オーディオ２１１およびクリーナー２２２の中で一番優先順位が高いクリーナー２２２に対応した変更指示内容を参照する（Ｓ３０５）。
【００７８】
ＨＥＭＳコントローラ１０は、オーディオ２１１およびクリーナー２２２の音量または動作レベルを参照する（Ｓ３０６）。
【００７９】
このとき、オーディオ２１１に対応した変更指示内容は、「自分の音量を上げる  ただし、他の電気機器の音量または動作レベルが基準値以上である場合は、他の電気機器の音量または動作レベルを下げる」であり、クリーナー２２２の動作レベルは基準値以上であるため、ＨＥＭＳコントローラ１０は、動作状態の変更指示ありと判定し（Ｓ３０７のＹｅｓ）、ＨＥＭＳコントローラ１０は、変更の対象となるクリーナー２２２に、「音量または動作レベルを下げる」という内容の変更指示信号を送信する（Ｓ３０８）。
【００８０】
クリーナー２２２は、ＨＥＭＳコントローラ１０から変更指示信号を受信したら（Ｓ２０３のＹｅｓ）、変更指示信号の内容に基づいて、動作レベルを下げる（Ｓ２０４）。
【００８１】
ここで、例えば変更指示内容が「自分の音量を上げる」であった場合、オーディオ２１１の音量を上げることになるが、クリーナー２２２の動作レベルが基準値以上である場合、オーディオ２１１の音が聞き取りづらくならないようになるまで音量を上げるとなると、音量が非常に大きくなってしまい、近所迷惑になってしまったり、ユーザーに不快感を与えてしまったりする。
【００８２】
そこで、本実施の形態２に係る機器制御システム１００のように、電気機器２００の音量または動作レベルに応じて変更指示内容を変更することで、上記問題を解決することができる。
【００８３】
実施の形態３．
以下、本発明の実施の形態３について説明するが、実施の形態１および２と重複するものについては（一部の）説明を省略し、実施の形態１および２と同じ部分または相当する部分には同じ符号を付す。なお、図４は本実施の形態３でも用いる。
【００８４】
図１０は、本発明の実施の形態３に係る機器制御システム１００の制御の一例を示すフローチャートである。
本実施の形態３に係る機器制御システム１００では、電気機器２００の温度に応じて変更指示内容を変更することができる。
【００８５】
以下、本実施の形態３に係る機器制御システム１００の制御の一例について、図１０および図４を用いて説明する。
まず、操作部２０により、各電気機器２００の優先順位、および、各電気機器２００に対応した変更指示内容などの、制御条件を事前に設定する。制御条件が設定されたら、操作部２０は制御条件信号をＨＥＭＳコントローラ１０に送信する。
ＨＥＭＳコントローラ１０は、操作部２０から制御条件信号を受信したら、その制御条件を記憶部１２に保存する。
【００８６】
ＨＥＭＳコントローラ１０は、電気機器２００から動作状態信号を受信し（Ｓ４０１）、受信した電気機器２００の動作状態を記憶部１２に保存する。なお、動作状態信号は、例えば電気機器２００の動作状態が変更する毎に受信する。
ＨＥＭＳコントローラ１０は、各電気機器２００の動作状態を参照して、複数の電気機器２００が動作中であるかどうかを判定する（Ｓ４０２）。
【００８７】
ＨＥＭＳコントローラ１０は、複数の電気機器２００が動作中だったら（Ｓ４０２のＹｅｓ）、動作中の複数の電気機器２００の中に音発生機器が含まれているかどうかを判定する（Ｓ４０３）。
ＨＥＭＳコントローラ１０は、動作中の複数の電気機器２００の中に音発生機器が含まれていると判定したら（Ｓ４０３のＹｅｓ）、動作中の電気機器２００の優先順位を参照する（Ｓ４０４）。
【００８８】
ＨＥＭＳコントローラ１０は、動作中の電気機器２００の中で一番優先順位が高い電気機器２００に対応した変更指示内容を参照する（Ｓ４０５）。
ＨＥＭＳコントローラ１０は、動作中の電気機器２００の中に熱発生機器が含まれているかどうかを判定する（Ｓ４０６）。
ＨＥＭＳコントローラ１０は、動作中の電気機器２００の中に熱発生機器が含まれていたら（Ｓ４０６のＹｅｓ）、動作中の熱発生機器の温度を確認する（Ｓ４０７）。
ＨＥＭＳコントローラ１０は、動作中の電気機器２００の中で一番優先順位が高い電気機器２００の変更指示内容、および、動作中の熱発生機器がある場合はその温度に基づいた変更指示信号を、変更の対象となる電気機器２００に送信する（Ｓ４０８）。
【００８９】
一方、電気機器２００は、動作を開始したら（Ｓ２０１のＹｅｓ）、動作中であるという動作状態信号をＨＥＭＳコントローラ１０に送信する（Ｓ２０２）。
電気機器２００は、ＨＥＭＳコントローラ１０から変更指示信号を受信したら（Ｓ２０３のＹｅｓ）、変更指示の内容に基づいて、動作状態を変更する（Ｓ２０４）。
【００９０】
次に、本実施の形態３に係る機器制御システム１００の制御の具体例である第一例について説明する。
第一例では、音発生機器であるオーディオ２１１、ノイズ音発生機器であるレンジフード２２１およびクリーナー２２２、音発生機器かつノイズ音発生機器であるＩＨ調理器２３１が、それぞれ機器制御システム１００と連動しており、その中でオーディオ２１１およびＩＨ調理器２３１が動作しているものとする。なお、ＩＨ調理器２３１は熱発生機器であり、高温が基準値以上で動作しているものとする。
【００９１】
また、優先順位は、高い方からオーディオ２１１、ＩＨ調理器２３１、レンジフード２２１、クリーナー２２２の順に設定され、オーディオ２１１の変更指示内容には、「他の電気機器の音量または動作レベルを下げる  ただし、他の電気機器の温度が基準値以上である場合は、自分の音量を上げる」が設定されているものとする。
【００９２】
第一例では、機器制御システム１００と連動している４つの電気機器２００のうち、オーディオ２１１およびＩＨ調理器２３１が動作中であるため、ＨＥＭＳコントローラ１０は、オーディオ２１１およびＩＨ調理器２３１から動作中であるという情報と、熱発生機器である調理器から温度に関する情報を含んだ動作状態信号を受信し（Ｓ４０１）、オーディオ２１１およびＩＨ調理器２３１が動作中であること、およびＩＨ調理器２３１の温度が記憶部１２に保存される。
【００９３】
ＨＥＭＳコントローラ１０は、各電気機器２００の動作状態を参照して、複数の電気機器２００が動作中であるかどうかを判定する（Ｓ４０２）。
ＨＥＭＳコントローラ１０は、オーディオ２１１およびＩＨ調理器２３１が動作中であると判定し（Ｓ４０２のＹｅｓ）、オーディオ２１１およびＩＨ調理器２３１の中に音発生機器が含まれているかどうかを判定する（Ｓ４０３）。
【００９４】
オーディオ２１１およびＩＨ調理器２３１は音発生機器であるため、ＨＥＭＳコントローラ１０は、オーディオ２１１およびＩＨ調理器２３１の中に音発生機器が含まれていると判定し（Ｓ４０３のＹｅｓ）、オーディオ２１１およびＩＨ調理器２３１の優先順位を参照する（Ｓ４０４）。
ＨＥＭＳコントローラ１０は、オーディオ２１１およびＩＨ調理器２３１の中で一番優先順位が高いオーディオ２１１に対応した変更指示内容を参照する（Ｓ４０５）。
【００９５】
ＨＥＭＳコントローラ１０は、オーディオ２１１およびＩＨ調理器２３１の中に熱発生機器が含まれているかどうかを判定する（Ｓ４０６）。
ＩＨ調理器２３１は熱発生機器であるため、ＨＥＭＳコントローラ１０は、オーディオ２１１およびＩＨ調理器２３１の中に熱発生機器が含まれていると判定し（Ｓ４０６のＹｅｓ）、ＩＨ調理器２３１の温度を参照する（Ｓ４０７）。
【００９６】
このとき、オーディオ２１１に対応した変更指示内容は、「他の電気機器の音量または動作レベルを下げる  ただし、他の電気機器の温度が基準値以上である場合は、自分の音量を上げる」であり、ＩＨ調理器２３１の温度は基準値以上であるため、ＨＥＭＳコントローラ１０は、変更の対象となるオーディオ２１１に、「音量を上げる」という内容の変更指示信号を送信する（Ｓ４０８）。
【００９７】
オーディオ２１１は、ＨＥＭＳコントローラ１０から変更指示信号を受信したら（Ｓ２０３のＹｅｓ）、変更指示信号の内容に基づいて、音量を上げる（Ｓ２０４）。
【００９８】
ここで、例えば変更指示内容が「他の電気機器の音量または動作レベルを下げる」であった場合、ＩＨ調理器２３１の動作レベル、つまりＩＨ調理器２３１の冷却ファンの動作レベルを下げることになるが、ＩＨ調理器２３１の温度が基準値以上、つまり高温である場合、冷却ファンの動作レベルを下げるとＩＨ調理器２３１の温度が下がらず、かえって上がってしまう。
【００９９】
そこで、本実施の形態３に係る機器制御システム１００のように、電気機器２００の温度に応じて変更指示内容を変更することで、上記問題を解決することができる。
【０１００】
実施の形態４．
以下、本発明の実施の形態４について説明するが、実施の形態１〜３と重複するものについては（一部の）説明を省略し、実施の形態１〜３と同じ部分または相当する部分には同じ符号を付す。なお、図４は本実施の形態４でも用いる。
【０１０１】
図１１は、本発明の実施の形態４に係る機器制御システム１００の制御の一例を示すフローチャートである。
本実施の形態４に係る機器制御システム１００では、電気機器２００のブザー音の周波数に応じて変更指示内容を変更することができる。
【０１０２】
以下、本実施の形態４に係る機器制御システム１００の制御の一例について、図１１および図４を用いて説明する。
まず、操作部２０により、電気機器２００の優先順位、および、各電気機器２００に対応した変更指示内容などの、制御条件を事前に設定する。制御条件が設定されたら、操作部２０は制御条件信号をＨＥＭＳコントローラ１０に送信する。
ＨＥＭＳコントローラ１０は、操作部２０から制御条件信号を受信したら、その制御条件を記憶部１２に保存する。
【０１０３】
ＨＥＭＳコントローラ１０は、電気機器２００から動作状態信号を受信し（Ｓ５０１）、受信した電気機器２００の動作状態を記憶部１２に保存する。なお、動作状態信号は、例えば電気機器２００の動作状態が変更する毎に受信する。
ＨＥＭＳコントローラ１０は、各電気機器２００を参照して、複数の電気機器２００が動作中であるかどうかを判定する（Ｓ５０２）。
【０１０４】
ＨＥＭＳコントローラ１０は、複数の電気機器２００が動作中だったら（Ｓ５０２のＹｅｓ）、動作中の複数の電気機器２００の中に音発生機器が含まれているかどうかを判定する（Ｓ５０３）。
ＨＥＭＳコントローラ１０は、動作中の複数の電気機器２００の中に音発生機器が含まれていると判定したら（Ｓ５０３のＹｅｓ）、動作中の電気機器２００の優先順位を参照する（Ｓ５０４）。
【０１０５】
ＨＥＭＳコントローラ１０は、動作中の電気機器２００の中で一番優先順位が高い電気機器２００に対応した変更指示内容を参照する（Ｓ５０５）。
ＨＥＭＳコントローラ１０は、動作中の電気機器２００の中にブザー音発生機器が２つ以上含まれているかどうかを判定する（Ｓ５０６）。
ＨＥＭＳコントローラ１０は、動作中の電気機器２００の中にブザー音発生機器が２つ以上含まれていたら（Ｓ５０６のＹｅｓ）、動作中のブザー音発生機器のブザー音の周波数を参照する（Ｓ５０７）。
ＨＥＭＳコントローラ１０は、動作中の電気機器２００の中で一番優先順位が高い電気機器２００に対応した変更指示内容、および、動作中のブザー音発生機器が２つ以上ある場合はそれらのブザー音の周波数に基づいた変更指示信号を、変更の対象となる電気機器２００に送信する（Ｓ５０８）。
【０１０６】
一方、電気機器２００は、動作を開始したら（Ｓ２０１のＹｅｓ）、動作中であるという動作状態信号をＨＥＭＳコントローラ１０に送信する（Ｓ２０２）。
電気機器２００は、ＨＥＭＳコントローラ１０から変更指示信号を受信したら（Ｓ２０３のＹｅｓ）、変更指示の内容に基づいて、動作状態を変更する（Ｓ２０４）。
【０１０７】
次に、本実施の形態４に係る機器制御システム１００の制御の具体例である第一例について説明する。
第一例では、音発生機器である電子レンジ２１２および炊飯器２１３、ノイズ音発生機器であるレンジフード２２１およびクリーナー２２２が、それぞれ機器制御システム１００と連動しており、その中で電子レンジ２１２および炊飯器２１３が動作しているものとする。なお、電子レンジ２１２および炊飯器２１３はブザー音発生機器であり、それらのブザー音の周波数の差は基準値以内であるものとする。
【０１０８】
また、優先順位は、高い方から電子レンジ２１２、炊飯器２１３、レンジフード２２１、クリーナー２２２の順に設定され、電子レンジ２１２の動作状態の変更内容には、「他の電気機器の音量または動作レベルを下げる  ただし、自分のブザー音の周波数と他のブザー音発生機器のブザー音の周波数との差が基準値以内である場合は、他のブザー音発生機器のブザー音の周波数を下げる」が設定されているものとする。なお、前記において「他のブザー音発生機器のブザー音の周波数を下げる」と設定したが、「他のブザー音発生機器のブザー音の周波数を上げる」と設定してもよい。
【０１０９】
第一例では、機器制御システム１００と連動している４つの電気機器２００のうち、電子レンジ２１２および炊飯器２１３が動作中であるため、ＨＥＭＳコントローラ１０は、電子レンジ２１２および炊飯器２１３から動作中であるという情報と、ブザー音発生機器である電子レンジ２１２および炊飯器２１３のブザー音の周波数に関する情報を含んだ動作状態信号を受信し（Ｓ５０１）、電子レンジ２１２および炊飯器２１３が動作中であること、およびそれらのブザー音の周波数が記憶部１２に保存される。
【０１１０】
ＨＥＭＳコントローラ１０は、各電気機器２００の動作状態を参照して、複数の電気機器２００が動作中であるかどうかを判定する（Ｓ５０２）。
ＨＥＭＳコントローラ１０は、電子レンジ２１２および炊飯器２１３が動作中であると判定し（Ｓ５０２のＹｅｓ）、電子レンジ２１２および炊飯器２１３の中に音発生機器が含まれているかどうかを判定する（Ｓ５０３）。
【０１１１】
電子レンジ２１２および炊飯器２１３は音発生機器であるため、ＨＥＭＳコントローラ１０は、電子レンジ２１２および炊飯器２１３の中に音発生機器が含まれていると判定し（Ｓ５０３のＹｅｓ）、電子レンジ２１２および炊飯器２１３の優先順位を参照する（Ｓ５０４）。
ＨＥＭＳコントローラ１０は、電子レンジ２１２および炊飯器２１３の中で一番優先順位が高い電子レンジ２１２に対応した変更指示内容を確認する（Ｓ５０５）。
【０１１２】
ＨＥＭＳコントローラ１０は、電子レンジ２１２および炊飯器２１３の中にブザー音発生機器が２つ以上含まれているかどうかを判定する（Ｓ５０６）。
電子レンジ２１２および炊飯器２１３はブザー音発生機器であるため、ＨＥＭＳコントローラ１０は、電子レンジ２１２および炊飯器２１３の中にブザー音発生機器が２つ以上含まれていると判定し（Ｓ５０６のＹｅｓ）、電子レンジ２１２および炊飯器２１３のブザー音の周波数を参照する（Ｓ５０７）。
【０１１３】
このとき、電子レンジ２１２に対応した変更指示内容は、「他の電気機器の音量または動作レベルを下げる  ただし、自分のブザー音の周波数と他のブザー音発生機器のブザー音の周波数との差が基準値以内である場合は、他のブザー音発生機器のブザー音の周波数を下げる」であり、電子レンジ２１２のブザー音の周波数と炊飯器２１３のブザー音の周波数との差が基準値以内であるため、ＨＥＭＳコントローラ１０は、変更の対象となる炊飯器２１３に、「周波数を下げる」という内容の変更指示信号を送信する（Ｓ５０８）。
【０１１４】
炊飯器２１３は、ＨＥＭＳコントローラ１０から変更指示信号を受信したら（Ｓ２０３のＹｅｓ）、変更指示信号の内容に基づいて、周波数を下げる（Ｓ２０４）。
【０１１５】
ここで、例えば変更指示内容が「他の電気機器の音量または動作レベルを下げる」であった場合、炊飯器２１３の動作レベル、つまり炊飯器２１３のブザー音の音量を下げることになるが、電子レンジ２１２および炊飯器２１３のブザー音の周波数は互いに近いため、音量が異なっても両者の音を聞き分けづらい。
【０１１６】
そこで、本実施の形態４に係る機器制御システム１００のように、電気機器２００のブザー音の周波数に応じて変更指示内容を変更することで、上記問題を解決することができる。
【符号の説明】
【０１１７】
１０  ＨＥＭＳコントローラ、１１  制御部、１２  記憶部、１３  通信部、１４  受信部、１５  送信部、２０  操作部、１００  機器制御システム、２００  電気機器、２０１  制御部、２０２  記憶部、２０３  通信部、２０４  受信部、２０５  送信部、２１１  オーディオ、２１２  電子レンジ、２１３  炊飯器、２２１  レンジフード、２２２  クリーナー、２３１  ＩＨ調理器、２４０  リモコン。
【図１】
2017163271.tif 000003
【図２】
2017163271.tif 000004
【図３】
2017163271.tif 000005
【図４】
2017163271.tif 000006
【図５】
2017163271.tif 000007
【図６】
2017163271.tif 000008
【図７】
2017163271.tif 000009
【図８】
2017163271.tif 000010
【図９】
2017163271.tif 000011
【図１０】
2017163271.tif 000012
【図１１】
2017163271.tif 000013